(57)【特許請求の範囲】
【請求項１】
複数枚の被記録材をスタック可能であり、被記録材を記録ヘッド側へ供給するためにスタックするホッパー本体と、種類の異なる被記録材の幅寸法に合わせて該被記録材の側縁の幅方向への動きを規制するために少なくとも一方が移動可能であり互いの間隔を変えることができる一組のエッジガイドとを備えるホッパー装置であって、
前記ホッパー本体の裏面側には、ホッパー本体の剛性を高めるための補強板が固定され、前記補強板の前縁が前記ホッパー本体の前縁に隣接して形成されており、
前記ホッパー本体の後縁には後部スライド部が形成され、前記補強板の前縁には前部スライド部が形成されており、
前記ホッパー本体の前縁と前記補強板とには少なくとも１カ所に切り欠き部が形成され、該切り欠き部内には、切り欠き部の幅方向に亘って延び、切り欠き部の後方側へ一時的に後退可能であり、前記前部スライド部のスライド面と面一な下面を有するスライド補助片を備え、
前記移動可能なエッジガイドは可動エッジガイド保持部材に形成されており、該可動エッジガイド保持部材の後端側には、前記後部スライド部に対してスライド可能に係合できるスライド係合部が形成され、前記可動エッジガイド保持部材には、前記スライド係合部からホッパー本体の前後長さと同じ距離の位置に且つ前記少なくとも１カ所の切り欠き部に対応した位置にスライド係合爪が形成されており、
前記可動エッジガイド保持部材を前記ホッパー本体に取り付ける際に、前記スライド補助片を切り欠き部の後方側へ一時的に後退させた状態で、前記スライド係合爪を、各々対応する切り欠き部の上下方向に貫通させた後、前記スライド補助片を元の位置へ戻して取り付けることができ、該取付状態において前記スライド係合爪が前記前部スライド部のスライド面上をスライド可能であることを特徴とするエッジガイドの変形防止装置。
【請求項２】
請求項１に記載のエッジガイドの変形防止装置において、前記切り欠き部と前記スライド係合爪は２つずつであることを特徴とするエッジガイドの変形防止装置。
【請求項３】
請求項１または２に記載のエッジガイドの変形防止装置において、前記スライド補助片は、常時、切り欠き部の前方側へ弾性的に付勢されており、前記付勢に抗して切り欠き部の後方側へ一時的に後退可能であることを特徴とするエッジガイドの変形防止装置。
【請求項４】
請求項１〜３のいずれか１項に記載のエッジガイドの変形防止装置において、前記一組のエッジガイドのうち正面から見て右側のエッジガイドの位置は固定であり、左側のエッジガイドは可動であることを特徴とするエッジガイドの変形防止装置。
【請求項５】
請求項１〜４のいずれか１項に記載のエッジガイドの変形防止装置において、前記切り欠き部は、移動可能なエッジガイドが規格紙の幅寸法に合うように位置決めされているとき、前記スライド係合爪が切り欠き部の位置からずれているように設定されていることを特徴とするエッジガイドの変形防止装置。
【請求項６】
請求項１〜５のいずれか１項に記載のエッジガイドの変形防止装置において、前記ホッパー装置の上端側のうち前記移動可能なエッジガイド側は遊びを有する軸支構造を備え、前記ホッパー装置の下端側は、給紙動作を行うために該下端の上方に設けられる給紙ローラに対して常時付勢傾向にあり、該付勢傾向は、前記移動可能なエッジガイド側におけるホッパー装置の付勢部位の方が前記固定のエッジガイド側におけるホッパー装置の付勢部位より強いことを特徴とするエッジガイドの変形防止装置。
【請求項７】
請求項１〜６のいずれか１項に記載のエッジガイドの変形防止装置を備えることを特徴とする給紙装置。
【請求項８】
請求項７に記載の給紙装置を備えることを特徴とする記録装置。
【発明の詳細な説明】
【０００１】
【発明の属する技術分野】
本発明は、プリンタ、複写機等の記録装置が備えているオートシートフィーダの一部を構成するホッパー装置におけるエッジガイドの変形防止装置に関するものである。
【０００２】
【従来の技術】
プリンタ等の記録装置において単票紙に記録を行う場合、予めホッパー装置に複数枚の単票紙をスタックしておき、給紙ローラの回転によりホッパー装置から１枚ずつ単票紙を分離して記録ヘッド側へこれを送り出す方法が採られている。
【０００３】
通常ホッパー装置には、Ａ４版、Ｂ５版など種々の規格紙に対応できるように、各規格紙の幅寸法に応じて該規格紙の側辺の進行ラインの位置を規定するエッジガイドがスライド可能に設けられている。またホッパー装置は、給紙の度にその下端側が給紙ローラの方へ接近するように移動し、非給紙時には給紙ローラから離れる側へ移動するようにするため、ホッパー装置の下端を給紙ローラ側へ常時付勢するバネと、該バネの付勢力に抗してホッパー装置を下側へ押し下げるカム機構とを備えている。
【０００４】
ホッパー装置はこのバネの作用により常時上向きの力を受けるため、ホッパー装置の裏面にはその形状を維持するための補強板が固定されている。しかしホッパー装置に設けられる可動のエッジガイドは、その爪部分がホッパーの本体部分にスライド可能に係合しているに過ぎず、この補強板による補強作用を受けていない。そのためエッジガイドの下端側は上記バネの作用により多少上向きに変形気味となり、エッジガイド下端と給紙ローラとの間隔が所定の設定寸法よりも短くなりがちであった。
【０００５】
【発明が解決しようとする課題】
そこで本発明の課題は、上記バネの作用によるエッジガイドの変形を抑制する構造を提供するとともに、このような変形抑制構造を採用するに当たり、エッジガイドのホッパー本体への取付けに関する課題やエッジガイドの滑らかなスライドを維持するという課題を同時に解決したエッジガイドの変形防止構造を提供することにある。
【０００６】
【課題を解決するための手段】
上記課題を達成するため、本願請求項１に記載のホッパー装置におけるエッジガイドの変形防止装置は、複数枚の被記録材をスタック可能であり、被記録材を記録ヘッド側へ供給するためにスタックするホッパー本体と、種類の異なる被記録材の幅寸法に合わせて該被記録材の側縁の幅方向への動きを規制するために少なくとも一方が移動可能であり互いの間隔を変えることができる一組のエッジガイドとを備えるホッパー装置であって、前記ホッパー本体の裏面側にはホッパー本体の剛性を高めるための補強板が固定され、前記補強板の前縁が前記ホッパー本体の前縁に隣接して形成されており、前記ホッパー本体の後縁には後部スライド部が形成され、前記補強板の前縁には前部スライド部が形成されており、前記ホッパー本体の前縁と前記補強板とには少なくとも１カ所に切り欠き部が形成され、該切り欠き部内には、切り欠き部の幅方向に亘って延び、切り欠き部の後方側へ一時的に後退可能であり、前記前部スライド部のスライド面と面一な下面を有するスライド補助片を備え、前記移動可能なエッジガイドは可動エッジガイド保持部材に形成されており、該可動エッジガイド保持部材の後端側には、前記後部スライド部に対してスライド可能に係合できるスライド係合部が形成され、前記可動エッジガイド保持部材には、前記スライド係合部からホッパー本体の前後長さと同じ距離の位置に且つ前記少なくとも１カ所の切り欠き部に対応した位置にスライド係合爪が形成されており、前記可動エッジガイド保持部材を前記ホッパー本体に取り付ける際に、前記スライド補助片を切り欠き部の後方側へ一時的に後退させた状態で、前記スライド係合爪を、各々対応する切り欠き部の上下方向に貫通させた後、前記スライド補助片を元の位置へ戻して取り付けることができ、該取付状態において前記スライド係合爪が前記前部スライド部のスライド面上をスライド可能であることを特徴とするものである。
【０００７】
本発明によれば、スライド係合爪が補強板の前縁に形成された前部スライド部にスライド可能に係合しているから、ホッパー本体を常時上側に付勢するバネの作用により可動エッジガイド保持部材が上側へ付勢されているときでも、スライド係合爪に掛かった負荷が補強板によって支持されて、可動エッジガイド保持部材が上側へ撓むように変形することを防止することができる。そのためエッジガイド下端と給紙ローラとの距離を所定の設定距離に設定することが可能になった。
【０００８】
またスライド補助片は切り欠き部内で一時的に後方へ後退することができるから、スライド係合爪を切り欠き部の位置に整合した状態で、スライド補助片を一時的に後退させた状態でスライド係合爪を切り欠き部内に貫通させることにより、容易に可動エッジガイド保持部材をホッパー本体に取り付けることができる。
【０００９】
また、本願請求項２に記載の発明は、請求項１に記載のエッジガイドの変形防止装置において、前記切り欠き部と前記スライド係合爪は２つずつであることを特徴とするものである。本発明によれば、２つのスライド係合爪が前部スライド部上で安定したスライド動作をすることができる。
【００１０】
また、本願請求項３に記載の発明は、請求項１または２に記載のエッジガイドの変形防止装置において、前記スライド補助片は、常時、切り欠き部の前方側へ弾性的に付勢されており、前記付勢に抗して切り欠き部の後方側へ一時的に後退可能であることを特徴とするものである。
本発明によれば、スライド係合爪を切り欠き部内に貫通させるときだけ、指でスライド補助片を一時的に容易に押し込むことが可能であり、スライド係合爪のセットが終了したら、指を離すだけでスライド補助片が元の位置へ戻り、スライド係合爪の離脱が防止されるようになる。
【００１１】
また、本願請求項４に記載の発明は、請求項１〜３のいずれか１項に記載のエッジガイドの変形防止装置において、前記一組のエッジガイドのうち正面から見て右側のエッジガイドの位置は固定であり、左側のエッジガイドは可動であることを特徴とするものである。
本発明によれば、右側に印刷の０桁側が位置する記録装置に適用可能であり、左側のエッジガイドを移動させるだけで種々の幅の用紙に対応することが可能である。
【００１２】
また、本願請求項５に記載の発明は、請求項１〜４のいずれか１項に記載のエッジガイドの変形防止装置において、前記切り欠き部は、移動可能なエッジガイドが規格紙の幅寸法に合うように位置決めされているとき、前記スライド係合爪が切り欠き部の位置からずれているように設定されていることを特徴とするものである。
本発明によれば、規格紙に合わせて可動エッジガイドが位置決めされている場合には、可動エッジガイド保持部材が誤ってホッパー本体から外れてしまうような事故を確実に防止することができる。
【００１３】
また、本願請求項６に記載の発明は、請求項１〜５のいずれか１項に記載のエッジガイドの変形防止装置において、前記ホッパー装置の上端側のうち前記移動可能なエッジガイド側は遊びを有する軸支構造を備え、前記ホッパー装置の下端側は、給紙動作を行うために該下端の上方に設けられる給紙ローラに対して常時付勢傾向にあり、該付勢傾向は、前記移動可能なエッジガイド側におけるホッパー装置の付勢部位の方が前記固定のエッジガイド側におけるホッパー装置の付勢部位より強いことを特徴とするものである。
【００１４】
ホッパー装置の上端の支点のうち、移動可能なエッジガイドがある側は遊びを有する軸支構造を採用することにより、ホッパー装置の下端が給紙ローラに確実に押し付けられるようになる。このような遊び構造の採用により移動可能なエッジガイドがホッパー装置の中程にあるときに、補強板の荷重が移動可能なエッジガイド側に集中するが、上記移動可能なエッジガイド側におけるホッパー装置の付勢部位の付勢力を高めることでこの補強板の荷重をバランスよく支持することができる。
【００１５】
また、本願請求項７に記載の給紙装置は、請求項１〜６のいずれか１項に記載のエッジガイドの変形防止装置を備えることを特徴とするものである。本発明によれば、エッジガイド下端と給紙ローラとの距離を所定の距離に設定することが可能であるから、ホッパーに所定枚数の被記録材を確実にスタックすることができる。
【００１６】
また、本願請求項８に記載の記録装置は、請求項７に記載の給紙装置を備えることを特徴とするものである。本発明によれば、エッジガイド下端と給紙ローラとの距離を所定の距離に設定することが可能であるから、ホッパーに所定枚数の被記録材を確実にスタックすることができる。
【００１７】
【発明の実施の形態】
以下、本願発明の実施の形態を図面に基づいて説明する。
図１は本発明に係るエッジガイドの変形防止装置を適用した給紙装置２を備える記録装置１を示す斜視図である。尚、図１は記録装置を覆う本体カバーを外した状態で描いてある。また、図２は同記録装置の側面図である。図３はホッパー本体に可動エッジガイドが取り付けられた様子をおもて側から見た正面図である。図４はホッパー本体に可動エッジガイドが取り付けられた様子を裏側から見た斜視図である。図５は切り欠き部内にスライド補助片が設けられている様子を示す斜視図である。図６は図４のＶＩ−ＶＩ線に沿って破断した断面図である。図７は可動エッジガイドがその取付位置からスライドした様子を示す斜視図である。図８は図７のＶIII−ＶIII線に沿って破断した断面図である。
【００１８】
図１に示す如く記録装置１は、記録部（プリンタ本体）３と、該記録部３の後方上部に設けられる給紙装置２と、記録部３の前方に形成される排紙部５とを備えて成る。尚、以下の説明では、印刷時に被記録材である用紙Ｐが給紙装置２から送り出される方向を前方とし、その反対方向を後方とし、この前後方向と直交する方向であって後述する印刷（記録）ヘッドが印刷時にスキャンする方向を幅方向として説明する。
【００１９】
給紙装置２には、複数枚の用紙Ｐをスタックするホッパー装置７が設けられており、ホッパー装置７の上端には用紙Ｐの上方部分を支持するためのペーパーサポート９がこの例では着脱自在に接続されている。ホッパー装置７は、実際に用紙Ｐを下側から支持するホッパー本体１０と、ホッパー本体１０の向かって右側に位置し、用紙Ｐの側縁の右端側を規制するための固定エッジガイド１１と、ホッパー本体１０の向かって左側に位置し、用紙Ｐの側縁の左端側を規制するための可動エッジガイド１２とを備えている。可動エッジガイド１２は、印刷に使用される用紙の幅に応じてホッパー本体１０の幅方向にスライド可能に設けられている。可動エッジガイド１２は可動エッジガイド保持部材１３に対して形成される部材であり、後述するように本発明は、この可動エッジガイド保持部材１３をホッパー本体１０に取り付けるための構造に関するものである。
【００２０】
図２に示す如く、ホッパー本体１０の前端上方の対向する位置には、給紙ローラ１５が設けられており、ホッパー本体１０は、図示しないカム機構により上方（図２の矢印の方向）へ移動することにより、ホッパー本体１０上の用紙Ｐの先端付近を給紙ローラ１５に当接可能な位置まで持ち上げられる。また給紙ローラ１５は、平坦部分１５ａと、円弧部分１５ｂとから構成されており、ホッパー本体１０が用紙Ｐの先端を持ち上げているときに、給紙ローラ１５が図２で時計回り方向へ回転することにより、円弧部分１５ｂの表面が最上位に位置する用紙Ｐの表面に摩擦接触して、最上位乃至最上位から数枚の用紙Ｐを前方へ送り出す。
【００２１】
尚、数枚の用紙Ｐが送り出された場合には、給紙ローラ１５と対向する位置に設けられた図示しない分離パッドの作用により、最上位の用紙Ｐだけが給紙ローラ１５の駆動力を受けて前方へ送り出され、分離パッド側に残された用紙は図示しない戻し装置によりホッパー本体１０側へ戻される。
【００２２】
送り出された用紙Ｐは、紙送りローラ１７に至り、そこで印刷工程における精密な紙送り動作を受けながら、紙送りローラ１７の下流側に位置する印刷ヘッド１９側へ給紙される。
【００２３】
印刷ヘッド１９は、キャリッジ２１に搭載されており、キャリッジ２１は給紙方向と直交する方向へ往復運動できる。印刷ヘッド１９と対向する位置にはプラテン２３が設けられ、該プラテン２３は、印刷ヘッド１９によって用紙Ｐに印刷を行う際に、用紙Ｐを下側から支持する作用をなす。印刷ヘッド１９で印刷された用紙Ｐは、排紙部５に設けられる排紙ローラ２５によって順次排出される。
【００２４】
本発明が適用された記録装置１は、概略以上のような構成を備えるものであり、以下、本発明の特徴的構成について具体的に説明する。
【００２５】
図３は、ホッパー本体１０に可動エッジガイド１２が取り付けられた様子をおもて側から見た正面図であり、図４はホッパー本体１０に可動エッジガイド１２が取り付けられた様子を裏側から見た斜視図である。図３に矢印で示す如く、可動エッジガイド１２は、ホッパー本体１０の幅方向に沿ってスライド可能であり、これによって２つのエッジガイド１１、１２の間隔を例えば規格紙の幅寸法に合わせて設定することができ、用紙の給紙工程において、用紙が横ぶれすることを抑制できるようになっている。
【００２６】
図４に示す如く、ホッパー本体１０の裏面には強い剛性を有する補強板２６がホッパー本体１０に対して固定して設けられている。図２において、ホッパー装置７は、図示しないバネ等の付勢装置によって常時上側へ付勢されているため、ホッパー本体１０を付勢装置の付勢力に抗して強制的に下側へ移動させているときには、該上向きの付勢力によってホッパー本体１０が変形しやすい。補強板２６は、このような付勢力によってホッパー本体１０が変形しないために設けるものである。
【００２７】
ホッパー装置７の上端側のうち、可動エッジガイド１２側（図１の左側）には、遊びを有する軸支構造（図示せず）が設けられており、これにより上記付勢装置の付勢力によってホッパー装置７の下端が給紙ローラ１５に確実に押し付けられるようになっている。このような遊びを有する軸支構造の採用により、可動エッジガイド１２がホッパー装置７の幅方向の中程に位置するときに、補強板２６の荷重が可動エッジガイド７が位置する部分に集中してしまう。そこで本発明では、可動エッジガイド７が設けられている側（図１の左側）におけるホッパー装置７の上側への付勢力を固定エッジガイド１１側における上側への付勢力よりも高めて、補強板２６の荷重をバランス良く支持するようにしている。
【００２８】
補強板２６の前縁は、ホッパー本体１０の前縁に隣接して延びるように形成されており、ホッパー本体１０の後縁には後部スライド部２７が形成され、補強板２６の前縁には前部スライド部２９がそれぞれ形成されている。
【００２９】
ホッパー本体１０の前縁と補強板２６とが重なっている部分には、２カ所に切り欠き部３１が形成されている。前部スライド部２９の上側には（図４では下側になっている）可動バー３２が設けられており、２つの切り欠き部３１に対応する可動バー３２の位置には、各々該切り欠き部３１の幅寸法とほぼ同じ幅寸法を有するスライド補助片３３が各切り欠き部３１内に入り込むように突出して形成されている。可動バー３２は、前後方向に弾性変形することで撓むことが可能な材料で構成されており、可動バー３２に力が掛かっていない状態、即ち撓んでいない状態では、スライド補助片３３の前端が切り欠き部３１の前端側に位置するようになっている（図５の実線位置）。
【００３０】
スライド補助片３３は、切り欠き部３１の後方（図５中に矢印３５で示す方向）へ押し込むことにより、図５中の破線で示す如く、切り欠き部３１の後方側へ押し込み可能であり、またこの押し込み力を解除すれば直ちに可動バー３２の弾性復帰力により実線で示す初期位置へ復帰可能である。また図５に示す如く、スライド補助片３３の下面３７は、前部スライド部２９のスライド面３９と面一になるように設定されている。これにより後に詳述するように、可動エッジガイド保持部材１３が前部スライド部２９に沿ってスライドするときに、スライド面３９とスライド補助片３３の下面３７との境界部分で、がたつきや衝突などの障害を生じることなく、滑らかに進行できるようになる。
【００３１】
次に、可動エッジガイド保持部材１３について説明する。可動エッジガイド保持部材１３は、ホッパー本体１０の幅方向にスライド可能であるようにホッパー本体１０に対して後で組み付けることができる部材であり、図３に示す如く、支持板４１を主体とし、該支持板４１の左端に可動エッジガイド１２が形成されている。
【００３２】
支持板４１の上面側の前方端には摩擦部材４２が貼付されており、この摩擦部材４２と、固定エッジガイド１１の同様な位置に貼付された他の摩擦部材４２との摩擦作用により、ストックされている用紙が崩れ落ちるのを防止すると共に、給紙ローラ１５がホッパー本体１０上にスタックされている用紙Ｐを挟持して用紙の送り出しを行う際に、スタックされている残り少ない用紙が全て送り出されてしまうことを防止している。
【００３３】
図４に示す如く、支持板４１の裏面の後端側には、ホッパー本体１０の後部スライド部２７に対してスライド可能に係合するスライド係合フック４３が形成されており、一方、支持板４１の裏面の中程前方寄りであって、上記スライド係合フック４３からホッパー本体１０の前後長さと同じ距離のところからは案内板４５が下方へ延びている。そして案内板４５の下端には、ホッパー本体１０の前部スライド部２９に対してスライド可能に係合可能な２つのスライド係合爪４７が形成されている。
【００３４】
２つのスライド係合爪４７は、ホッパー本体１０に形成された２つの切り欠き部３１間の距離と同じ距離だけ離れて形成されており、２つのスライド係合爪４７を２つの切り欠き部３１に臨ませた状態でスライド補助片３３を切り欠き部３１内へ押し込むことにより、スライド係合爪４７を切り欠き部３１に貫通させることができるようになっている。
【００３５】
なお、ホッパー本体１０に対して切り欠き部３１を形成する位置は、可動エッジガイド１２が日本工業規格Ｂ５版やＡ４版などの規格紙の幅寸法に合うように位置決めされているときに、２つのスライド係合爪４７が切り欠き部３１の位置からずれているように設定することが好ましい。これにより規格紙に合わせて可動エッジガイド１２が位置決めされている場合には、可動エッジガイド保持部材１３が誤ってホッパー本体１０から外れてしまうような事故を確実に防止することができる。
【００３６】
以下、このような構造を備える可動エッジガイド保持部材１３をホッパー本体１０へ取付ける手順および取付後の可動エッジガイド保持部材１３の作動について説明する。
【００３７】
先ず可動エッジガイド保持部材１３におけるスライド係合フック４３をホッパー本体１０の後部スライド部２７に掛けるようにする。この状態で可動エッジガイド保持部材１３を後部スライド部２７に沿ってスライドさせ、可動エッジガイド保持部材１３における２つのスライド係合爪４７をホッパー本体１０に形成された２つの切り欠き部３１の位置に整合させる。そしてスライド補助片３３を切り欠き部３１内へ後方へ指で押し込みながら、２つのスライド係合爪４７を各切り欠き部３１の上下方向に貫通させ、その後、スライド補助片３３の押し込みを止めて元の位置へ復帰させる。これにより図４に示す如く、２つのスライド係合爪４７が各々スライド補助片３３の上に当接した状態となり、可動エッジガイド保持部材１３のホッパー本体１０への取付けが完了する。この状態ではスライド補助片３３を再度切り欠き部３１の後方へ押し込まない限り、スライド係合爪４７が切り欠き部３１から外れることはない。
【００３８】
スライド係合爪４７を図４に示す状態に取り付けた後、図７に示す如く、可動エッジガイド保持部材１３をホッパー本体１０の幅方向にスライドさせることができる。このときスライド補助片３３の下面３７は、前部スライド部２９のスライド面３９と面一に設定されているから、スライド係合爪４７がスライド補助片３３の下面３７と前部スライド部２９のスライド面３９との境界で、がたついたり、段差に衝突するなどの障害なしに、滑らかに進行することができる。
【００３９】
また本発明では、前部スライド部２９が剛性を有しないホッパー本体１０にではなく、剛性を有する補強板２６の前縁上に形成されており、スライド係合爪４７が補強板２６の前縁上でスライドすることになるから、ホッパー本体１０を常時上側に付勢する付勢装置の作用により可動エッジガイド保持部材１３が上側へ付勢されているときでも、スライド係合爪４７に掛かった上向きの負荷が補強板２６によって支持されて、可動エッジガイド保持部材１３が上側へ撓むように変形することを防止することができる。
【００４０】
以上本発明の一実施の形態について説明したが、本発明は上記実施の形態に限定されるものではなく、他の形態を採用することもできる。例えば上記実施の形態ではエッジガイドの一方だけを可動としたが、２つのエッジガイドを可動とし、それぞれのエッジガイドが形成される２つの可動エッジガイド保持部材１３が上記同様の構造を備えているようにしてもよい。
【００４１】
また可動エッジガイド保持部材１３に形成されるスライド係合爪４７の数は１つまたは３以上でもよく、これに対応して前部スライド部２９と補強板２６とに形成される切り欠き部３１を１つまたは３以上形成するようにしても構わない。
【００４２】
更に上記実施の形態では弾性的な可動バー３２にスライド補助片３３を形成して可動バー３２の弾性変形によりスライド補助片３３が切り欠き部３１内で一時的に後退するようにしているが、個々のスライド補助片３３にバネ等の弾性変形要素を取り付け、この弾性変形要素の弾性変形によりスライド補助片３３が個々に切り欠き部３１内で一時的に後退できるようにしてもよい。
【００４３】
【発明の効果】
本発明によれば、バネの作用によるエッジガイドの変形を抑制する変形抑制構造を採用するに当たり、エッジガイドのホッパー本体への取付けに関する課題やエッジガイドの滑らかなスライドを維持するという課題を同時に解決することができる。
【図面の簡単な説明】
【図１】本発明のペーパーサポートを適用した給紙装置を備える記録装置の斜視図である。
【図２】同上記録装置の側面図である。
【図３】ホッパー本体に可動エッジガイドが取り付けられた様子をおもて側から見た正面図である。
【図４】ホッパー本体に可動エッジガイドが取り付けられた様子を裏側から見た斜視図である。
【図５】切り欠き部内にスライド補助片が設けられている様子を示す斜視図である。
【図６】図４のＶＩ−ＶＩ線に沿って破断した断面図である。
【図７】可動エッジガイドがその取付位置からスライドした様子を示す斜視図である。
【図８】図７のＶIII−ＶIII線に沿って破断した断面図である。
【符号の説明】
１  記録装置
２  給紙装置
３  記録部（プリンタ本体）
５  排紙部
７  ホッパー装置
９  ペーパーサポート
１０  ホッパー本体
１１  固定エッジガイド
１２  可動エッジガイド
１３  可動エッジガイド保持部材
１５  給紙ローラ
２５  排紙ローラ
２６  補強板
２７  後部スライド部
２９  前部スライド部
３１  切り欠き部
３２  可動バー
３３  スライド補助片
３５  矢印
３７  下面
３９  スライド面
４１  支持板
４２  摩擦部材
４３  スライド係合フック
４５  案内板
４７  スライド係合爪
Ｐ  用紙
【図１】
0003827002.tif 000002
【図２】
0003827002.tif 000003
【図３】
0003827002.tif 000004
【図４】
0003827002.tif 000005
【図５】
0003827002.tif 000006
【図６】
0003827002.tif 000007
【図７】
0003827002.tif 000008
【図８】
0003827002.tif 000009